(57)【要約】【課題】素子数の増大を抑制しながら、複数の受光部において受光した光を、互いに独立して光電変換することができるようにする。【解決手段】本開示の情報処理装置は、光を伝搬する光伝搬路と、前記複数の光伝搬路のそれぞれを伝搬した光を、光電変換領域の互いに異なる部分領域において光電変換する光電変換素子と、前記光電変換素子において得られる、各光伝搬路を伝搬した光に対応する電気信号を用いて、照度若しくは色温度を推定する推定部とを備える。本開示は情報処理装置および方法、並びに光電変換装置に適用することができる。【選択図】図２
2014006759.tif 000002
【特許請求の範囲】
【請求項１】
光を伝搬する複数の光伝搬路と、
前記複数の光伝搬路のそれぞれを伝搬した光を、光電変換領域の互いに異なる部分領域において光電変換する光電変換素子と、
前記光電変換素子において得られる、各光伝搬路を伝搬した光に対応する電気信号を用いて、照度若しくは色温度を推定する推定部と
を備える情報処理装置。
【請求項２】
前記推定部により推定された前記照度若しくは前記色温度に基づいて、処理の実行を制御する制御部をさらに備える
請求項１に記載の情報処理装置。
【請求項３】
前記推定部により推定された前記照度若しくは前記色温度に基づいて、ユーザ操作を受け付ける操作受付部をさらに備え、
前記制御部は、前記操作受付部により受け付けられた前記ユーザ操作に従って、前記処理の実行を制御する
請求項２に記載の情報処理装置。
【請求項４】
前記推定部により推定された前記照度若しくは前記色温度に基づいて、位置を検出する検出部をさらに備え、
前記制御部は、前記操作受付部により受け付けられた前記ユーザ操作に従って、前記処理の実行を制御する
請求項２に記載の情報処理装置。
【請求項５】
情報を表示する表示部をさらに備え、
前記制御部は、前記推定部により推定された前記照度若しくは前記色温度に基づいて、前記表示部の輝度を制御する
請求項２に記載の情報処理装置。
【請求項６】
前記制御部は、前記推定部により推定された前記照度若しくは前記色温度の時間的変化に基づいて、前記処理の実行を制御する
請求項２に記載の情報処理装置。
【請求項７】
発光する発光部をさらに備え、
前記光伝搬路は、前記発光部より出力される光を、光電変換する光とは逆方向に伝搬する
請求項１に記載の情報処理装置。
【請求項８】
情報処理装置の情報処理方法において、
前記情報処理装置は、
光を伝搬する複数の光伝搬路のそれぞれを伝搬した光を、光電変換領域の互いに異なる部分領域において光電変換し、
得られた、各光伝搬路を伝搬した光に対応する電気信号を用いて、照度若しくは色温度を推定する
情報処理方法。
【請求項９】
光を伝搬する光伝搬路と、
光電変換領域の一部の領域において、前記光伝搬路を伝搬した光を光電変換し、前記光電変換領域の他の領域において、前記光伝搬路を伝搬していない光を光電変換する光電変換素子と、
前記光電変換領域の前記一部の領域において得られる、前記光伝搬路を伝搬した光に対応する電気信号を用いて、照度若しくは色温度を推定する推定部と
を備える情報処理装置。
【請求項１０】
前記光電変換領域全体を、光電変換する光の光路を除く周辺に対して遮光するモジュールをさらに備える
請求項９に記載の情報処理装置。
【請求項１１】
前記一部の領域と前記他の領域とを互いに遮光する遮光板をさらに備える
請求項１０に記載の情報処理装置。
【請求項１２】
前記光電変換素子は、
前記一部の領域において得られる電気信号を読み出す第１の読み出し部と、
前記他の領域において得られる電気信号を読み出す、前記第１の読み出し部とは独立して動作する第２の読み出し部と
を備える請求項９に記載の情報処理装置。
【請求項１３】
前記他の領域において得られる、前記光伝搬路を伝搬していない光に対応する電気信号を用いて、画像データを生成する画像データ生成部をさらに備える
請求項９に記載の情報処理装置。
【請求項１４】
情報処理装置の情報処理方法において、
前記情報処理装置は、
光電変換素子の光電変換領域の一部の領域において、光伝搬路を伝搬した光を光電変換し、
得られた電気信号を用いて照度若しくは色温度を推定し、
前記光電変換領域の他の領域において、光伝搬路を伝搬していない光を光電変換する
情報処理方法。
【請求項１５】
光を伝搬する複数の光伝搬路と、
前記複数の光伝搬路のそれぞれを伝搬した光を、光電変換領域の互いに異なる部分領域において光電変換する光電変換素子と
を備える光電変換装置。
【請求項１６】
前記光伝搬路は、所定の物質よりなり、
前記光は、前記物質内部を伝搬する
請求項１５に記載の光電変換装置。
【請求項１７】
前記光伝搬路は、石英ガラスよりなる光ファイバである
請求項１６に記載の光電変換装置。
【請求項１８】
光を伝搬する光伝搬路と、
光電変換領域の一部の領域において、前記光伝搬路を伝搬した光を光電変換し、前記光電変換領域の他の領域において、前記光伝搬路を伝搬していない光を光電変換する光電変換素子と
を備える光電変換装置。
【請求項１９】
前記光伝搬路は、所定の物質よりなり、
前記光は、前記物質内部を伝搬する
請求項１８に記載の光電変換装置。
【請求項２０】
前記光伝搬路は、石英ガラスよりなる光ファイバである
請求項１９に記載の光電変換装置。
【発明の詳細な説明】
【技術分野】
【０００１】
本開示は、情報処理装置および方法、並びに、光電変換装置に関し、特に、素子数の増大を抑制しながら、複数の受光部において受光した光を、互いに独立して光電変換することができるようにした情報処理装置および方法、並びに、光電変換装置に関する。
【背景技術】
【０００２】
携帯電話やテレビをはじめとする各種電子機器に照度センサや色温度センサが搭載されるようになってきている（例えば、特許文献１および特許文献２参照）。こういった電子機器は、機器が使用されている周辺の環境（明るさや照明の色温度）を推定することで、例えば表示画面（液晶や有機EL）の明るさや色を調整したりすることができる。周辺が明るければ、ディスプレイも明るくし、暗ければディスプレイも暗くするといった動作である。こうすることで、人間が快適に感じられる明るさにディスプレイ輝度などを調整することができる。
【０００３】
このような照度センサには光電変換可能な素子として、フォトダイオードや有機光電変換膜などを有する素子が用いることができる（例えば、特許文献３および特許文献４参照）。こういった素子を用いて、光電変換後の出力値から照度や色温度を推定し、上述したような動作を行うことができる。
【先行技術文献】
【特許文献】
【０００４】
【特許文献１】特開２０１１−１６６４９１号公報
【特許文献２】特開２０１１−５９５４３号公報
【特許文献３】特開２００８−１０３３６８号公報
【特許文献４】特開２０１１−２９４５３号公報
【発明の概要】
【発明が解決しようとする課題】
【０００５】
しかしながら、このようなセンサを設けるためには、そのセンサの数だけ光電変換を行う素子を設けなければならなかった。そのため、装置の小型化が困難になる恐れがあるだけでなく、コストや消費電力が増大する恐れもあった。
【０００６】
本開示は、このような状況に鑑みてなされたものであり、素子数の増大を抑制しながら、複数の受光部において受光した光を、互いに独立して光電変換することができるようにすることを目的とする。
【課題を解決するための手段】
【０００７】
本開示の一側面は、光を伝搬する複数の光伝搬路と、前記複数の光伝搬路のそれぞれを伝搬した光を、光電変換領域の互いに異なる部分領域において光電変換する光電変換素子と、前記光電変換素子において得られる、各光伝搬路を伝搬した光に対応する電気信号を用いて、照度若しくは色温度を推定する推定部とを備える情報処理装置である。
【０００８】
前記推定部により推定された前記照度若しくは前記色温度に基づいて、処理の実行を制御する制御部をさらに備えることができる。
【０００９】
前記推定部により推定された前記照度若しくは前記色温度に基づいて、ユーザ操作を受け付ける操作受付部をさらに備え、前記制御部は、前記操作受付部により受け付けられた前記ユーザ操作に従って、前記処理の実行を制御することができる。
【００１０】
前記推定部により推定された前記照度若しくは前記色温度に基づいて、位置を検出する検出部をさらに備え、前記制御部は、前記検出部により検出された位置に従って、前記処理の実行を制御することができる。
【００１１】
情報を表示する表示部をさらに備え、前記制御部は、前記推定部により推定された前記照度若しくは前記色温度に基づいて、前記表示部の輝度を制御することができる。
【００１２】
前記制御部は、前記推定部により推定された前記照度若しくは前記色温度の時間的変化に基づいて、前記処理の実行を制御することができる。
【００１３】
発光する発光部をさらに備え、前記光伝搬路は、前記発光部より出力される光を、光電変換する光とは逆方向に伝搬することができる。
【００１４】
本開示の一側面は、また、情報処理装置の情報処理方法であって、前記情報処理装置が、光を伝搬する複数の光伝搬路のそれぞれを伝搬した光を、光電変換領域の互いに異なる部分領域において光電変換し、得られた、各光伝搬路を伝搬した光に対応する電気信号を用いて、照度若しくは色温度を推定する情報処理方法である。
【００１５】
本開示の他の側面は、光を伝搬する光伝搬路と、光電変換領域の一部の領域において、前記光伝搬路を伝搬した光を光電変換し、前記光電変換領域の他の領域において、前記光伝搬路を伝搬していない光を光電変換する光電変換素子と、前記光電変換領域の前記一部の領域において得られる、前記光伝搬路を伝搬した光に対応する電気信号を用いて、照度若しくは色温度を推定する推定部とを備える情報処理装置である。
【００１６】
前記光電変換領域全体を、光電変換する光の光路を除く周辺に対して遮光するモジュールをさらに備えることができる。
【００１７】
前記一部の領域と前記他の領域とを互いに遮光する遮光板をさらに備えることができる。
【００１８】
前記光電変換素子は、前記一部の領域において得られる電気信号を読み出す第１の読み出し部と、前記他の領域において得られる電気信号を読み出す、前記第１の読み出し部とは独立して動作する第２の読み出し部とを備えることができる。
【００１９】
前記他の領域において得られる、前記光伝搬路を伝搬していない光に対応する電気信号を用いて、画像データを生成する画像データ生成部をさらに備えることができる。
【００２０】
本開示の他の側面は、また、情報処理装置の情報処理方法において、前記情報処理装置は、光電変換素子の光電変換領域の一部の領域において、光伝搬路を伝搬した光を光電変換し、得られた電気信号を用いて照度若しくは色温度を推定し、前記光電変換領域の他の領域において、光伝搬路を伝搬していない光を光電変換する情報処理方法である。
【００２１】
本開示のさらに他の側面は、光を伝搬する複数の光伝搬路と、前記複数の光伝搬路のそれぞれを伝搬した光を、光電変換領域の互いに異なる部分領域において光電変換する光電変換素子とを備える光電変換装置である。
【００２２】
前記光伝搬路は、所定の物質よりなり、前記光は、前記物質内部を伝搬することができる。
【００２３】
前記光伝搬路は、石英ガラスよりなる光ファイバであるようにすることができる。
【００２４】
本開示のさらに他の側面は、光を伝搬する光伝搬路と、光電変換領域の一部の領域において、前記光伝搬路を伝搬した光を光電変換し、前記光電変換領域の他の領域において、前記光伝搬路を伝搬していない光を光電変換する光電変換素子とを備える光電変換装置である。
【００２５】
前記光伝搬路は、所定の物質よりなり、前記光は、前記物質内部を伝搬することができる。
【００２６】
前記光伝搬路は、石英ガラスよりなる光ファイバであるようにすることができる。
【００２７】
本開示の一側面においては、光を伝搬する複数の光伝搬路のそれぞれを伝搬した光が、光電変換領域の互いに異なる部分領域において光電変換され、得られた、各光伝搬路を伝搬した光に対応する電気信号を用いて、照度若しくは色温度が推定される。
【００２８】
本開示の他の側面においては、光電変換素子の光電変換領域の一部の領域において、光伝搬路を伝搬した光が光電変換され、得られた電気信号を用いて照度若しくは色温度が推定され、光電変換領域の他の領域において、光伝搬路を伝搬していない光が光電変換される。
【００２９】
本開示のさらに他の側面においては、複数の光伝搬路のそれぞれを光が伝搬され、その複数の光伝搬路のそれぞれを伝搬した光が、光電変換領域の互いに異なる部分領域において光電変換される。
【００３０】
本開示のさらに他の側面においては、光伝搬路を光が伝搬され、光電変換領域の一部の領域において、その光伝搬路を伝搬した光が光電変換され、光電変換領域の他の領域において、その光伝搬路を伝搬していない光が光電変換される。
【発明の効果】
【００３１】
本開示によれば、入射光を光電変換することができる。特に、素子数の増大を抑制しながら、複数の受光部において受光した光を、互いに独立して光電変換することができる。
【図面の簡単な説明】
【００３２】
【図１】一般的な電子機器の主な構成例を示す図である。
【図２】本技術を適用した光電変換装置の主な構成例を示す図である。
【図３】光電変換部の主な構成例を示す図である。
【図４】光電変換部の他の構成例を示す図である。
【図５】光電変換装置の他の構成例を示す図である。
【図６】本技術を適用した電子機器の主な構成例を示すブロック図である。
【図７】本技術を適用した光電変換装置の他の構成例を示す図である。
【図８】本技術を適用した電子機器の他の構成例を示す図である。
【図９】センサへの光の照射の様子を説明する図である。
【図１０】電子機器の主な構成例を示すブロック図である。
【図１１】照度計測処理の流れの例を説明するフローチャートである。
【図１２】ディスプレイ輝度制御処理の流れの例を説明するフローチャートである。
【図１３】実行制御処理の流れの例を説明するフローチャートである。
【図１４】状況変化の検出の様子の例を説明する図である。
【図１５】環境検出の様子の例を説明する図である。
【図１６】制御処理の流れの例を説明するフローチャートである。
【図１７】本技術を適用した光電変換装置のさらに他の構成例を示す図である。
【図１８】光伝搬路の設置例を説明する図である。
【図１９】射出瞳補正の例を説明する図である。
【図２０】テレビジョン受像機に本技術を適用する場合の例を説明する図である。
【図２１】ゲーム機に本技術を適用する場合の例を説明する図である。
【発明を実施するための形態】
【００３３】
以下、本技術を実施するための形態（以下実施の形態とする）について説明する。なお、説明は以下の順序で行う。
１．第１の実施の形態（光電変換装置・電子機器）
２．第２の実施の形態（光電変換装置・電子機器）
３．第３の実施の形態（応用例）
【００３４】
＜１．第１の実施の形態＞
［センサ付き電子機器］
携帯電話やテレビをはじめとする各種電子機器は、機器が使用されている周辺の環境（明るさや照明の色温度）を推定することで、例えば表示画面（液晶や有機EL）の明るさや色を調整したりすることができる。例えば、周辺が明るければ、ディスプレイも明るくし、暗ければディスプレイも暗くするといった動作制御が可能になる。こうすることで、人間が快適に感じられる明るさにディスプレイ輝度などを調整することができる。
【００３５】
［光電変換装置と情報処理装置］
そこでこのような電子機器には、例えば、図１に示されるように、フォトダイオードや有機光電変換膜などを有する素子等により構成される照度センサ等の各種センサが設けられる。
【００３６】
このとき、一般的には、図１Ａに示されるように、１つのセンサは、１光学系を介して供給される光を光電変換する。つまり、センサは、検出した照度や色温度等を、１の検出結果として出力する。
【００３７】
電子機器の内部は、例えば、図１Ｂのように構成される。光電変換素子は、レンズ系や光学フィルタを介して入射した入射光を光電変換し、A/D変換部は、その電気信号をデジタルデータ化し、クランプ部は、黒レベルを減算する。演算部は、センサがR,G,Bなどの複数色を有するものである場合、人間の視感度特性に近くなるように各々にゲインをかけたり、各値の加算／減算などを行ったりして、照度や色温度を求めるための数値に変換する。照度／色温度推定部は、演算部から得られた数値情報から、照度や色温度を推定する。電子機器はこの推定結果に基づいて、例えばディスプレイ輝度の調整等の処理の実行を制御する。
【００３８】
このようなセンサを新たに設ける場合、そのセンサの数だけ光電変換を行う素子を設けなければならなかった。そのため、装置の小型化が困難になったり、コストや消費電力が増大したりする恐れがあった。また、信頼性が低減する恐れもあった。
【００３９】
例えば、このようなセンシングを用いた機器制御機能をさらに向上させるために、より多様なセンシングを行うことが考えられる。さらに、それらのセンサとは別に、写真撮影用のカメラや、状態通知用のLED（Light Emitting Diode）（電話機の場合は着信などを知らせる点灯部）等を設ける場合も考えられる。
【００４０】
また、より正確にセンシングを行う等のために、複数のセンサを設ける場合も考えられる。例えば、筺体の複数の位置に照度センサを設け、それぞれの位置の照度を計測するようにする方法が考えられる。例えば、各位置の照度に基づいて、ディスプレイの明るさ制御を行うことにより、特異点に基づく制御を抑制することができ、より適切な制御を行うことができる。
【００４１】
しかしながら、このように素子数を増大させるほど、上述したように、設計の難易度が高くなり、部品数が増大するため、装置の小型化がより困難になり、コストや消費電力がより増大し、信頼性がより低減する恐れがあった。
【００４２】
そこで、光電変換装置において、光を伝搬する光伝搬路と、光電変換領域の一部の領域において、その光伝搬路を伝搬した光を光電変換し、光電変換領域の他の領域において、その光伝搬路を伝搬していない光を光電変換する光電変換素子とを備えるようにする。
【００４３】
光電変換装置とは、光を電気信号に変換する機能を有する装置である。例えば、被写体の画像を電気信号化（デジタルデータ化）する撮像装置を含む。また、光量を測定する照度センサや、光の色温度を測定する色温度センサ等の光学センサも含む。さらに、例えば、そのような撮像機能や光学センサを利用した任意の電子機器（情報処理装置とも称する）も含む、
【００４４】
光伝搬路は、光電変換装置の１の受光部において受光された光を光電変換素子まで伝搬させる素子である。
【００４５】
光電変換素子は、例えば、フォトダイオードや有機光電変換膜等によって、光を電気信号に変換する素子である。光電変換領域は、光電変換素子の光が照射される受光面の内、光を電気信号に変換する領域、すなわち、フォトダイオードや有機光電変換膜等が形成される領域である。
【００４６】
この光電変換領域は、光を電気信号に変換する互いに独立した構成（単位）である画素を複数有する。つまり、この光電変換領域の画素数は、２画素以上であれば任意である。上述したように、光電変換素子は、光電変換領域の一部の領域において、光伝搬路を伝搬した光を光電変換し、光電変換領域の他の領域において、光伝搬路を伝搬していない光を光電変換する。換言するに、光電変換素子は、光伝搬路を伝搬した光、および、光伝搬路を伝搬していない光を、それぞれ、互いに異なる１若しくは複数の画素において光電変換する。
【００４７】
このようにすることにより、１の光電変換素子によって、複数の受光部において受光された光を、互いに独立に電気信号化することができる。したがって、光電変換素子を受光部の数だけ設ける必要がない。つまり、その場合と比べて素子数を低減させることができる。したがって、光電変換装置の小型化の困難性の増大を抑制し、コストや消費電力の増大を抑制することができる。また、信頼性の低減を抑制することもできる。
【００４８】
なお、光電変換装置に、このような構成を複数設けるようにしてもよい。つまり、光電変換素子が複数設けられるようにしてもよい。その場合であっても、光電変換装置は、光電変換素子の数よりも多くの受光部において受光された光を光電変換することができるので、素子数の増大を抑制し、上述した効果を有する。
【００４９】
なお、上述した光伝搬路が所定の物質よりなり、光がその物質内部を伝搬するようにしてもよい。つまり、受光部において受光された光が、光伝搬路を形成する物質の内部を伝搬するようにしてもよい。例えば、光伝搬路を、石英ガラスよりなる光ファイバとして実現するようにしもよい。
【００５０】
光伝搬路は、受光部において受光された光を光電変換領域まで誘導する光路であり、その構成は任意であるが、当然、その構成も簡易である方が望ましい。したがって、光伝搬路は、例えば、鏡やプリズムを用いて実現するよりも、光ファイバを用いて実現する方が、より簡易な構成とすることができる。つまり、素子数の増大を抑制することができ、上述した効果を得ることができる。また、光伝搬路の設計もより容易になる。
【００５１】
以上のような光電変換装置の構成に加え、光電変換領域の一部の領域において得られる、光伝搬路を伝搬した光に対応する電気信号を用いて、照度若しくは色温度を推定する推定部とを備える情報処理装置としてもよい。
【００５２】
光電変換装置において光電変換された電気信号は、どのように利用しても良い。例えば、光伝搬路を伝搬した光を光電変換して得られる電気信号を光学センサ出力としてもよい。光学センサとは、例えば、照度や色温度等の光学的特徴を検出するセンサである。つまり、光学センサには、受光部において受光された光の照度を検出する照度センサや、受光部において受光された光の色温度を検出する色温度センサを含む。もちろん、これら以外の光学的特徴を検出するセンサであってもよい。
【００５３】
例えば、１の光伝搬路が１本の光ファイバで形成される場合、光が内部で反射を繰り返すため、一般的に「画像」の伝搬は困難である。つまり、このような光伝搬路を伝搬した光を複数の画素で光電変換したとしても、受光部において受光された光における「画像」を再現することは困難である。
【００５４】
しかしながら、例えば、照度や色温度等といった光学的特徴であれば検出は容易である。そこで、上述したように、光電変換された電気信号から光学的特徴を推定する推定部を備え、その推定結果を光学センサ出力として出力するようにしてもよい。このようにすることにより、情報処理装置（電子機器）は、素子数の増大を抑制することができる。つまり、情報処理装置は、装置の小型化を容易にし、かつ、コストおよび消費電力の増大並びに信頼性の低減を抑制しながら、光伝搬路を伝搬していない光に対応する電気信号とともに、光学センサ出力（推定結果）も得ることができる。
【００５５】
なお、上述した情報処理装置において、光電変換領域全体を、光電変換する光の光路を除く周辺に対して遮光するモジュールをさらに備えるようにしてもよい。つまり、受光部から光電変換素子までの光路を、その外部に対して遮光するようにしてもよい。このようにすることにより、光の伝搬における損失を抑制することができ、光電変換の効率を向上させることができる。
【００５６】
さらに、光電変換領域の一部の領域と他の領域とを互いに遮光する遮光板をさらに備えるようにしてもよい。上述したように、光電変換領域の一部の領域においては、光伝搬路を伝搬した光が光電変換され、他の領域においては、光伝搬路を伝搬していない光が光電変換される。つまり、この一部の領域と他の領域とでは、互いに異なる受光部において受光された光が光電変換される。したがって、遮光板によってこれらの領域間を遮光し、これらの光が他方の領域に侵入しないように（混ざらないように）することにより、各光の光電変換結果をより正確に得ることができる。
【００５７】
光電変換素子が、一部の領域において得られる電気信号を読み出す第１の読み出し部と、他の領域において得られる電気信号を読み出す、第１の読み出し部とは独立して動作する第２の読み出し部とを備えるようにしてもよい。つまり、一部の領域と他の領域とで、光電変換結果（電気信号）の読み出しを互いに独立させるようにしてもよい。このようにすることにより、各領域の電気信号の読み出しを、他の領域に対して独立に行うことができ、その読み出しタイミングや読み出し方法等の自由度を向上させることができる。
【００５８】
また、情報処理装置が、その第１の読み出し部により、一部の領域から読み出された電気信号をA/D変換する第１のA/D変換部と、第２の読み出し部により、他の領域から読み出された電気信号をA/D変換する第２のA/D変換部とをさらに備えるようにしてもよい。このようにすることにより、各領域から読み出される電気信号を、デジタルデータとして出力させることができる。
【００５９】
前記他の領域において得られる、前記光伝搬路を伝搬していない光に対応する電気信号を用いて、画像データを生成する画像データ生成部をさらに備えることができる。光伝搬路を伝搬していない光は、受光部からたとえばレンズや鏡などを介して「画像」として光電変換素子まで誘導される。つまり、他の領域において得られる電気信号は、受光部において受光された光における「画像」に相当する。したがって、他の領域において得られた電気信号から、所定のフォーマットの画像データを得る画像データ生成部を設けることにより、他の領域から読みだされる電気信号を画像データとして出力させることができる。
【００６０】
なお、以上に説明した情報処理装置の構成を方法（情報処理方法）として実現するようにしてもよい。
【００６１】
［光電変換装置］
より具体的な例について説明する。本技術を適用した光電変換装置の一部の構成例を図２に示す。図２において、光電変換装置１００は、複数の受光部において受光した光を互いに独立して光電変換する光電変換装置の一態様である。
【００６２】
図２に示されるように、光電変換装置１００は、光電変換部１０１、光学系１０３、光学系１０４、および光伝搬路１０５を有する。
【００６３】
光電変換部１０１は、光を電気信号に変換する光電変換素子の一態様であり、光が照射される受光面に、光を電気信号に変換する光電変換領域を有する。この光電変換領域は、フォトダイオードや有機光電変換膜等が形成される領域である。この光電変換領域は、撮像部１０１Ａとセンサ部１０１Ｂの２つの領域に分けられる。
【００６４】
撮像部１０１Ａは、それぞれがフォトダイオードや有機光電変換膜等を有する画素構成群（複数画素）よりなり、光学系１０３の受光部において受光された光を光電変換する。
【００６５】
センサ部１０１Ｂは、それぞれがフォトダイオードや有機光電変換膜等を有する画素構成群（複数画素）よりなり、光学系１０４を介して入射され、光伝搬路１０５を伝搬する入射光を光電変換する。
【００６６】
光学系１０３は、例えば、レンズや絞り等の光学部品により構成され、光学系１０３に対応する受光部において受光された光に対して光学的な作用を施す。光学系１０４は、光学系１０３と同様に、例えばレンズや絞り等の光学部品により構成され、光学系１０４に対応する受光部において受光された光に対して光学的な作用を施す。なお、光学系１０３に対応する受光部と、光学系１０４に対応する受光部は、互いに異なる。光伝搬路１０５は、光学系１０４に対応する受光部において受光され、光学系１０４を介して誘導された光を、光電変換部１０１のセンサ部１０１Ｂまで伝搬させる。光伝搬路１０５は、例えば、内部において光を伝搬させる物質により構成される。例えば、石英ガラス等よりなる光ファイバ等の、損失率の低い素材が望ましい。
【００６７】
光学系１０４に対応する受光部において受光された光は、光学系１０４および光伝搬路１０５を介し、光電変換部１０１のセンサ部１０１Ｂまで伝搬する。このように光伝搬路１０５を設けることにより、光電変換部１０１の位置に対して、光学系１０４に対応する受光部をより任意の位置に、より容易に設けることができる。例えば、光学系１０４に対応する受光部を光電変換部１０１から離れた位置に設けることもできるし、光電変換部１０１の向きと異なる向きに設けることもできる。また、その場合の光路の設計が容易である。
【００６８】
また、光学系１０３に対応する受光部において受光された光は、光学系１０３を介して、光伝搬路１０５を伝搬せずに、光電変換部１０１の撮像部１０１Ａに入射する。つまり、光学系１０４に対応する受光部は、光電変換部１０１の位置からだけでなく、光学系１０３に対応する受光部の位置からも、任意の位置に、より容易に設けることができる。例えば、光学系１０４に対応する受光部を、光学系１０３に対応する受光部から離れた位置に設けることもできるし、光学系１０３に対応する受光部の向きと異なる向きに設けることもできる。また、その場合の光路の設計が容易である。
【００６９】
換言するに、光電変換部１０１は、任意の位置や向きの複数の受光部において受光された光を光電変換することができる。つまり、光電変換部１０１の位置の自由度（設計の自由度）を向上させることができる。つまり、光電変換装置１００の設計がより容易になるので、装置の小型化がより容易になる。
【００７０】
また、光電変換部１０１は、１のシリコン基板に形成される１の素子である。つまり、複数の受光部において受光された光が、１の素子により光電変換される。したがって、受光部毎に光電変換を行う素子を設ける必要がなく、素子数の増大を抑制することができる。これにより、装置の小型化が容易になり、コストや消費電力の増大も抑制することができる。また、信頼性の低減も抑制することができる。
【００７１】
また、上述したように、光学系１０３に対応する受光部において受光された光は撮像部１０１Ａにおいて光電変換され、光学系１０４に対応する受光部において受光された光はセンサ部１０１Ｂにおいて光電変換される。つまり、光電変換部１０１は、互いに異なる受光部において受光された光を、光電変換領域の互いに異なる部分領域において光電変換する。したがって、光電変換部１０１は、両光を互いに独立して光電変換することができる。
【００７２】
なお、光学系１０３に対応する受光部から撮像部１０１Ａまでの光路は、光学系１０３に対応する受光部において受光された光による画像が歪まないようにすることが優先されて形成される。つまり、撮像部１０１Ａにおいて光電変換されて得られた電気信号を用いて、光学系１０３に対応する受光部の先の被写体の画像に対応する画像データを得ることができる。したがって、撮像部１０１Ａは、被写体の撮像用に用いることができる。
【００７３】
これに対して、光伝搬路１０５を伝搬する光は、光伝搬路１０５内部において反射を繰り返す。したがって、この伝搬において、光学系１０４に対応する受光部において受光された光による画像の維持は困難である。つまり、センサ部１０１Ｂにおいて光電変換されて得られた電気信号を用いて、光学系１０４に対応する受光部の先の被写体の画像に対応する画像データを得ることは困難である。しかしながら、センサ部１０１Ｂにおいて光電変換されて得られた電気信号を用いて、光学系１０４に対応する受光部近傍の、照度や色温度等の光学的特徴を検出することはできる。つまり、センサ部１０１Ｂは、光学的特徴の検出（センサ）用に用いることができる。
【００７４】
このように、光電変換部１０１は、各受光部において得られた光を互いに独立して光電変換することができるので、それぞれを互いに異なる用途に用いることもできる。その場合であっても素子数の増大を抑制することができる。なお、以下においては、上述した用途例を用いて説明するが、以上に説明した用途例は一例であり、これに限らない。撮像部１０１Ａにおいて得られる電気信号を、他の用途（例えば、光学的特徴の検出（センサ）用）に用いるようにしてももちろんよい。また、センサ部１０１Ｂにおいて得られる電気信号を、他の用途（例えば、撮像用）に用いるようにしてもよい。
【００７５】
図３は、光電変換部１０１の一部の構成例を示す図である。図３に示されるように、光電変換部１０１の撮像部１０１Ａは、複数の画素よりなる画素アレイ部１１１、カラムADC１１２、CPU１１３、TG１１４、およびDSP１１５を有する。
【００７６】
画素アレイ部１１１において、光学系１０３に対応する受光部において受光された光が光電変換され、電荷として蓄積される。その蓄積された電荷は、CPU１１３により制御されるTG１１４の制御に従って、カラムADC１１２により電気信号として読み出され、デジタルデータに変換される。CPU１１３は、その他に、DSP１１５等も制御する。カラムADC１１２は、カラム毎に比較部１２１およびカウンタ１２２を有し、カラム毎に読み出された電気信号をA/D変換する。
【００７７】
これに対して、光電変換部１０１のセンサ部１０１Ｂは、複数の画素よりなる画素アレイ部１３１、カラムADC１３２、CPU１３３、TG１３４、およびDSP１３５を有する。画素アレイ部１３１において、光学系１０４に対応する受光部において受光された光が光電変換され、電荷として蓄積される。その蓄積された電荷は、CPU１３３により制御されるTG１３４の制御に従って、カラムADC１３２により電気信号として読み出され、デジタルデータに変換される。CPU１３３は、その他に、DSP１３５等も制御する。カラムADC１３２は、カラム毎に比較部１２１およびカウンタ１２２を有し、カラム毎に読み出された電気信号をA/D変換する。
【００７８】
つまり、撮像部１０１Ａとセンサ部１０１Ｂの電気信号は、それぞれ、互いに独立して駆動する構成により、互いに異なるデータとして読み出される。
【００７９】
このように、１の光電変換部１０１を用いて撮像部１０１Ａおよびセンサ部１０１Ｂを形成することにより、素子数の増大を抑制しながら、より多様なセンシングを行うことができる。したがって、回路規模やコストの増大を抑制することができる。これにより、小型化の実現も容易にすることができる。また、消費電力の増大も抑制することができる。
【００８０】
なお、図４に示されるように、撮像部１０１Ａとセンサ部１０１Ｂとが、１の画素アレイ部１４１として構成され、１系統の読み出し構成（カラムADC１４２、CPU１４３、TG１４４、およびDSP１４５）により、画素アレイ部１４１に蓄積された電荷に対応する電気信号が読みだされるようにしてもよい。つまり、この場合、撮像部１０１Ａにおいて光電変換されて蓄積された電荷と、センサ部１０１Ｂにおいて光電変換されて蓄積された電荷は、ともに、CPU１４３により制御されるTG１４４の制御に従って、カラムADC１４２により電気信号として読み出され、デジタルデータに変換される。CPU１４３は、その他に、DSP１４５等も制御する。
【００８１】
つまり、撮像部１０１Ａの出力とセンサ部１０１Ｂの出力とが１の画像データとしてまとめられて出力されるようにしてもよい。この場合、撮像部１０１Ａの出力とセンサ部１０１Ｂの出力は、画素位置によって識別することができるので、例えば、後段の画像処理において、１の画像データを、撮像部１０１Ａの出力とセンサ部１０１Ｂの出力とに容易に分離することができる。
【００８２】
なお、照度や色温度等の光学的特徴を検出するセンサ部１０１Ｂには光伝搬路１０５（例えば光ファイバ）を通して光が伝搬される。このため、センサ部１０１Ｂの領域は光伝搬路１０５（例えば光ファイバ）の太さのみを確保すれば良く、幅のあるレンズなどを配置しなくても良い。このため、センサ部１０１Ｂを、光学系１０３を有する撮像部１０１Ａの真横に配置することが容易に可能となる。
【００８３】
なお、撮像部１０１Ａおよびセンサ部１０１Ｂが形成される光電変換領域は、光学系１０３若しくは光伝搬路１０５からの光路を除く周囲に対して遮光するようにしてもよい。図５は、そのように光電変換素子を遮光したモジュール素子の構成例を示す図である。
【００８４】
図５に示されるように、撮像部１０１Ａおよびセンサ部１０１Ｂが形成される光電変換領域は、光を透過させない（遮光性の高い）素材よりなるモジュール素子１５１により覆われ、その外部に対して遮光されている。モジュール素子１５１には、光学系１０３と光伝搬路１０５が形成され、光学系１０３を透過した光と、光伝搬路１０５を伝搬した光のみが、モジュール素子１５１の内部に入射するようになされている。つまり、これらの光が主に撮像部１０１Ａおよびセンサ部１０１Ｂに入射する（撮像部１０１Ａおよびセンサ部１０１Ｂに入射する光は、これらの光が支配的となる）。
【００８５】
また、図５に示されるように、モジュール素子１５１内において、撮像部１０１Ａとセンサ部１０１Ｂとの間を、光を透過させない（遮光性の高い）素材よりなる遮光板１５２により遮光するようにしてもよい。
【００８６】
このようにすることにより、光電変換装置１００は、光学系１０３を介してモジュール素子１５１内部に入射した光がセンサ部１０１Ｂに入射したり、光伝搬路１０５を伝搬してモジュール素子１５１内部に入射した光が撮像部１０１Ａに入射したりするのを抑制することができる。
【００８７】
つまり、大型化せずに、単一の光電変換基板で、撮像用途と照度／色温度検出用途の複数用途での仕様が可能となる。さらに、撮像用途と照度／色温度検出用途の画素が分断された位置にあるため、駆動回路を個別に有することで、必要最小限のセンサ駆動で動作が可能となり、撮像素子全体を照度検出に用いる場合に比べ、低消費電力化に寄与することができる。
【００８８】
［電子機器］
図３に示されるように、撮像部１０１Ａの出力と、センサ部１０１Ｂの出力とを、互いに独立に読み出す場合、後段の処理も、例えば、図６に示されるように、それぞれについて独立に行われる。
【００８９】
図６は、光電変換装置１００を用いた情報処理装置の一態様である電子機器の主な構成例を示すブロック図である。図６の上段は、センサ部１０１Ｂの出力を処理する処理部である。図６の下段は、撮像部１０１Ａの出力を処理する処理部である。
【００９０】
光学系１０４を介して入射した光は、光伝搬路１０５を伝搬して、センサ部１０１Ｂに照射される。センサ部１０１Ｂは、その光を電気信号に変換し、さらにそのアナログの電気信号をデジタル値へ変換する。クランプ部１６３は、センサ部１０１Ｂの出力の黒レベルを減算する。さらに、センサ部１０１ＢがR,G,Bなどの複数色を有するものである場合、演算部１６４は、人間の視感度特性に近くなるように各々にゲインをかけたり、各値の加算／減算などを行ったりして、照度や色温度を求めるための数値に変換する。照度／色温度推定部１６５は、演算部１６４から得られた数値情報から、照度や色温度などといった所望の値を推定する。
【００９１】
光学系１０３を介して入射した光は、光学フィルタ１７１を介して、光伝搬路１０５を伝搬せずに、撮像部１０１Ａに照射される。撮像部１０１Ａは、その光を電気信号に変換し、アナログの電気信号をデジタル値へ変換する。クランプ部１７４は、撮像部１０１Ａの出力の黒レベルを減算する。デモザイク部１７５は、各画素に色を作るための信号を補完（例えばRed画素部にGやBの信号を補完）し、リニアマトリックス部１７６は、それらのR,G,B情報を用いて色再現性を向上させる。ガンマ補正部１７７は、人間の視感度や、ディスプレイに表示した時に最適な値になるようにγを調整する。輝度クロマ信号生成部１７８は、輝度成分、クロマ成分を生成する。ビデオインタフェース１７９は、輝度成分やクロマ成分を出力する。
【００９２】
このように、電子機器１６０は、撮像部１０１Ａの出力、および、センサ部１０１Ｂの出力のいずれも、容易に画像処理することができる。
【００９３】
＜２．第２の実施の形態＞
［光電変換装置と情報処理装置］
以上においては、複数用途で用いる例を示したが、これ以外にも、光伝搬路１０５（例えば光ファイバ）を用いることで、１つのセンサで複数箇所のセンサ出力を得ることができるようにしてもよい。
【００９４】
例えば、特開平７−３５６１１号公報に記載の方法の場合、複数のファイバ線を用いてはいるが、光学系が１つしかなく、得られるデータも1箇所の光量のみであった。また、特開２００２−２１４０３９号公報には、複数箇所に光ファイバ線を設け、複数箇所の光量を個別に得ることができることが記載されているが、この技術の場合、個々の光ファイバ線の光量を得るにはシャッタなどで、対象外のファイバ線を遮光する必要があった。つまり、全てのファイバ線の光量を得たい場合、順次、個別に遮光On/Offを繰り返していく必要があり、１回のセンサ出力で全てのファイバ線の出力を得ることができないため、高速動作が困難になる恐れがあった。さらに、シャッタ部をファイバ線毎に個別に設ける必要があり、シャッタ部自体のコストや体積が増大する恐れがあった。
【００９５】
そこで、光電変換装置において、光を伝搬する複数の光伝搬路と、前記複数の光伝搬路のそれぞれを伝搬した光を、光電変換領域の互いに異なる部分領域において光電変換する光電変換素子とを備えるようにする。
【００９６】
第１の実施の形態と異なる点は、光伝搬路を複数備え、光電変換素子が、各光伝搬路を伝搬した光を光電変換することである。つまり、光電変換素子が、任意の位置および向きに設けられた複数の受光部において受光された光を、互いに独立に光電変換することができるようになる。したがって、素子数の増大が抑制されるとともに、設計を容易にすることができる。つまり、光電変換装置の小型化を容易にし、コストや消費電力の増大を抑制することができる。また、信頼性の低減を抑制することもできる。
【００９７】
第１の実施の形態の場合と同様に、各光伝搬路は、所定の物質よりなり、光がその物質内部を伝搬するようにしてもよい。例えば、光伝搬路を、石英ガラスよりなる光ファイバとして実現するようにしもよい。
【００９８】
以上のような光電変換装置の構成に加え、各光伝搬路を伝搬した光に対応する電気信号を用いて、照度若しくは色温度を推定する推定部とを備える情報処理装置としてもよい。
【００９９】
第１の実施の形態の場合と同様に、光電変換装置において光電変換された電気信号は、どのように利用しても良い。例えば、各光伝搬路を伝搬した光を光電変換して得られる電気信号を光学センサ出力としてもよい。このようにすることにより、情報処理装置（電子機器）は、素子数の増大を抑制することができる。つまり、情報処理装置は、装置の小型化を容易にし、かつ、コストおよび消費電力の増大並びに信頼性の低減を抑制しながら、複数の光学センサ出力（推定結果）を得ることができる。
【０１００】
なお、情報処理装置が、上述した推定部により推定された照度や色温度等の光学的特徴に基づいて、処理の実行を制御する制御部をさらに備えるようにしてもよい。これにより、情報処理装置は、装置周辺の光学的環境に応じた処理を行うことができる。
【０１０１】
また、推定部により推定された照度や色温度等の光学的特徴に基づいて、ユーザ操作を受け付ける操作受付部をさらに備え、制御部が、操作受付部により受け付けられたユーザ操作に従って、処理の実行を制御するようにしてもよい。
【０１０２】
例えば、ユーザが、受光部が複数設けられた筐体を指でなぞると、その指により受光部が一時的に遮光される。つまり、ユーザ操作によって、各受光部において受光する光の光学的特徴が変化する。操作受付部は、この変化を検出して解析することにより、ユーザ操作を特定し、その操作に対応する指示（命令）を特定する。制御部は、その指示に従って、所定の処理の実行を制御する。この所定の処理は、任意である。例えば、電源をオンしたり、オフしたりしてもよいし、アプリケーションを起動したり、終了したりしてもよい。また、例えば、情報処理装置が携帯電話機の場合、通話を開始したり終了したりしてもよい。
【０１０３】
このようにすることにより情報処理装置は、センサ出力を用いて、ユーザ操作を受け付け、その操作に対応する制御を行うことができる。
【０１０４】
また、推定部により推定された照度や色温度等の光学的特徴に基づいて、位置を検出する検出部をさらに備え、制御部が、検出部により検出された位置に応じて、処理の実行を制御するようにしてもよい。例えば、検出部は、検出された照度や色温度等から、情報処理装置周辺の光学的環境を特定し、その光学的環境から、情報処理装置がどの部屋（空間）に存在するか等、その位置の検出をする。制御部は、その検出された位置に応じた処理の制御を行う。このようにすることにより、情報処理装置は、その位置に応じた処理の実行を制御することができる。この処理は、任意である。
【０１０５】
また、推定された光学的特徴の変化から、検出部は、位置の変化を検出することもできる。制御部は、その位置の変化に基づいて、処理の実行を制御することもできる。例えば、制御部は、検出部が検出した受光部において受光される光の色温度を、各部屋の照明の色温度との比較することにより、情報処理装置が位置する部屋を特定し、その位置に応じた処理を実行する。このようにすることにより、情報処理装置の位置に応じた制御が可能となる。さらに、制御部が、推定部により推定された照度や色温度等の光学的特徴の時間的変化に基づいて、処理の実行を制御するようにしてもよい。例えば、情報処理装置（電子機器）が鞄等に収納されると、複数の受光部において受光される光の光学的特徴が所定のパターンで変化する。検出部は、このパターンを特定することにより、筐体が鞄等に収納されたことを検出する。制御部は、例えばディスプレイをオフする等の、その状態変化に応じた処理を実行する。このようにすることにより、状況変化に応じた制御が可能になる。
【０１０６】
さらに、情報を表示する表示部をさらに備え、制御部が、推定部により推定された照度や色温度等の光学的特徴に基づいて、表示部の輝度を制御するようにしてもよい。このようにすることにより、例えば、情報処理装置（電子機器）周辺の明るさ等に応じて、表示部の輝度を調整することができ、ユーザにより見やすい表示を実現することができる。
【０１０７】
また、発光する発光部をさらに備え、光伝搬路が、その発光部より出力される光を、光電変換する光とは逆方向に伝搬するようにしてもよい。このようにすることにより、受光部から光を発光させることもでき、受光部を、メッセージ出力部（表示部）としても利用することができる。つまり、素子数を増大させずに、機能を増大させることができる。
【０１０８】
なお、以上に説明した情報処理装置の構成を方法（情報処理方法）として実現するようにしてもよい。
【０１０９】
［光電変換装置］
より具体的な例について説明する。図７は、本技術を適用した光電変換装置の他の構成例を示す図である。図７Ａの例の場合、光電変換装置１８０は、１のセンサ部１８１と、そのセンサ部１８１に対して設けられた複数の光伝搬路１０５を有する。図７Ａにおいては、光伝搬路１０５−１乃至光伝搬路１０５−６の６の光伝搬路が示されているが、この光伝搬路の数は任意である。また、以下において、光伝搬路１０５−１乃至光伝搬路１０５−６を互いに区別して説明する必要が無い場合、単に光伝搬路１０５と称する。つまり、これら光伝搬路１０５−１乃至光伝搬路１０５−６は、それぞれ、図２等を参照して説明した光伝搬路１０５と同様のものである。
【０１１０】
図７Ａに示されるように、各光伝搬路１０５を伝搬した光は、センサ部１８１の光電変換領域の互いに異なる部分領域に照射されるようになされている。センサ部１８１は、光を光電変換する光電変換素子の一態様であり、光が照射される受光面に、光を電気信号に変換する光電変換領域を有する。この光電変換領域は、フォトダイオードや有機光電変換膜等が形成される領域である。センサ部１８１は、この光電変換領域の互いに異なる部分領域（位置）において、各光伝搬路１０５を伝搬した光を光電変換する。
【０１１１】
つまり、センサ部１８１は、図２の光電変換部１０１と同様の素子であるが、各光伝搬路１０５を伝搬した光のみを光電変換する。上述したように、光伝搬路１０５を伝搬した光から画像を得ることは困難である場合が多い。したがって、以下において、センサ部１８１は、光電変換により得られる電気信号を、光学的特徴の検出（センサ）に用いるものとする。ただし、上述したように、センサ部１８１において得られる電気信号の用途は、これに限定されるものではなく、任意である。
【０１１２】
センサ部１８１の画素アレイは、図７Ｂに示されるように、複数の部分領域（図７Ｂの例の場合、部分領域１８１−１乃至部分領域１８１−９の９領域）に分割され、その部分領域毎に独立して電荷の読み出しが可能である。各光伝搬路１０５を伝搬した光は、この部分領域群の、互いに異なる部分領域に照射される。なお、この部分領域の数は、光伝搬路１０５の数以上であれば、任意である。なお、図４の場合と同様に、全部分領域の電荷（電気信号）が、１系統の読み出し部により１群のデータとして読み出されるようにしてもよい。その場合であっても、画素の座標に基づいて、各部分領域のデータを識別することができるので、後段の処理部において、そのデータを部分領域毎のデータに容易に分離することができる。
【０１１３】
なお、図２の場合と同様に、光伝搬路１０５を設けることにより、光を受光する位置の自由度が向上する。つまり、センサ部１８１は、任意の複数の位置の照度若しくは色温度を計測することができる。例えば、センサ部１８１は、光電変換装置１８０の筺体の、センサ部１８１から離れた複数の位置において受光された光を光電変換することができる。また、それらの受光位置が互いに離れていてもよい。つまり、光伝搬路１０５−１乃至光伝搬路１０５−６のそれぞれが伝搬する光の光源は、互いに同一のものでなくてもよい。
【０１１４】
また、図５の場合と同様に、図８Ａに示されるように、センサ部１８１の光電変換領域を、光を透過させない（遮光性の高い）素材よりなるモジュール素子１８５により覆い、各光伝搬路１０５からの光路を除く周囲に対して遮光するようにしてもよい。また、図５の場合と同様に、各光伝搬路１０５を伝搬した光が照射される部分領域同士を、遮光板１８６−１、遮光板１８６−２、および遮光板１８６−３により、互いに遮光するようにしてもよい。
【０１１５】
［電子機器］
光伝搬路１０５の、センサ部１８１とは反対側の端（すなわち受光部）は、例えば光電変換装置１８０、若しくは、光電変換装置１８０の構成を有する情報処理装置（電子機器）の任意の位置に設けることができる。例えば、図８Ｂに示されるように、光電変換装置１８０の構成を有する電子機器１９０の筺体１９１の、正面１９１−１に設けられたディスプレイ１９３の周囲を囲むように、受光部であるセンサ開口１９２−１乃至センサ開口１９２−６を設けるようにしてもよい。この場合、センサ部１８１を含むモジュール素子１８５は、任意の位置に設けることができる。例えば、図８Ｃの、筺体１９１の横面からみた断面図に示されるように、筺体１９１内部の背面側に、モジュール素子１８５を設けるようにすることもできる。
【０１１６】
このように、受光部であるセンサ開口１９２を任意の位置に設けることができるので、電子機器１９０の設計自由度が向上し、小型化に寄与することができる。さらに、複数箇所にセンサ開口１９２を有することで、特定のセンサ開口（受光部）だけに局所的な直射光が入射しても、他のセンサ開口が影響を受けない。この際、全ての出力を平均化したり、もしくは直射光による飛び値を除外したりすることで、局所的な外光の影響を受けない照度／色温度センサを実現することができる。
【０１１７】
従来の場合、図９Ａに示されるように、１センサに１の受光部において受光された光が照射されるので、１のセンサ出力（例えば照度出力）しか得ることができなかったが、光電変換装置１８０の場合、センサ部１８１には、図９に示されるように、複数の受光部において受光された複数の光が、互いに異なる領域（領域１９５−１乃至領域１９５−６）に照射されるので、複数のセンサ出力（例えば照度出力）を同時に得ることができる。
【０１１８】
図１０は、光電変換装置１８０の構成を有する電子機器１９０の主な構成例を示すブロック図である。図１０に示されるように、電子機器１９０は、制御部２０１、入力部２１１、表示部２１２、出力部２１３、記憶部２１４、通信部２１５、ドライブ２１６、および照度／色温度計測部２３１を有する。
【０１１９】
制御部２０１は、例えば、CPU（Central Processing Unit）、ROM（Read Only Memory）、およびRAM（Random Access Memory）等を有し、その他の各部を制御し、光電変換装置１８０の各処理部の制御に関する処理を行う。例えば、制御部２０１のCPUは、ROMに記憶されているプログラムに従って各種の処理を実行する。また、CPUは、記憶部２１４からRAMにロードされたプログラムに従って各種の処理を実行する。RAMにはまた、CPUが各種の処理を実行する上において必要なデータなども適宜記憶される。
【０１２０】
制御部２０１には、キーボード、マウス、タッチパネルなどよりなる入力部２１１が接続されている。制御部２０１にはまた、CRT（Cathode Ray Tube）ディスプレイ、LCD（Liquid Crystal Display）、有機ELディスプレイ（OELD（Organic ElectroLuminescence Display））等のディスプレイ等よりなる表示部２１２や、スピーカや出力端子などよりなる出力部２１３も接続されている。
【０１２１】
制御部２０１にはさらに、フラッシュメモリ等SSD（Solid State Drive）やハードディスクなどよりなる記憶部２１４も接続されている。制御部２０１にはまた、有線LAN（Local Area Network）や無線LANのインタフェースやモデムなどよりなる通信部２１５も接続されている。通信部２１５は、インターネットを含むネットワークを介しての通信処理を行う。
【０１２２】
制御部２０１にはさらに、必要に応じてドライブ２１６が接続され、磁気ディスク、光ディスク、光磁気ディスク、或いは半導体メモリなどのリムーバブルメディア２２１がそのドライブ２１６に適宜装着される。そして、そのドライブ２１６を介してリムーバブルメディア２２１から読み出されたコンピュータプログラムが、必要に応じて記憶部２１４にインストールされる。
【０１２３】
照度／色温度計測部２３１は、制御部２０１の制御に従って、照度若しくは色温度の計測に関する処理を行う。図１０に示されるように、照度／色温度計測部２３１は、上述したセンサ開口１９２、光伝搬路１０５、およびセンサ部１８１の他に、クランプ部２４２、領域別演算部２４３、および照度／色温度推定部２４４を有する。
【０１２４】
センサ部１８１は、各光伝搬路１０５を伝搬した光を、光電変換領域の互いに異なる部分領域において光電変換し、A/D変換し、それらを結合（連結）して、光電変換領域全体に対応する１のデータとして出力する。
【０１２５】
クランプ部２４２は、センサ部１８１から供給されるデジタルの画像データの黒レベルを減算する。
【０１２６】
領域別演算部２４３は、クランプ部２４２から供給される画像データを、各光伝搬路１０５を伝搬した光を光電変換する部分領域毎に分割する。つまり、領域別演算部２４３は、１の画像データを座標に基づいて複数の部分領域毎に分割することにより、各光伝搬路１０５を伝搬した光毎の輝度データを生成する。例えば、領域別演算部２４３は、分割した部分領域毎に代表値を算出する。例えば、領域別演算部２４３は、各部分領域について、輝度値の平均値を算出し、その平均値をその部分領域の代表値とする。仮に、出力がR,G,B信号であった場合は、例えば「照度＝ωＧｒｅｅｎ＋αＢｌｕｅ＋σＲｅｄ」のように代表値を演算するようにしても良い（ω、α、σは任意の数字であり正、負の値の両方がとれるものである）。その他の演算方法を用いても良い。
【０１２７】
照度／色温度推定部２４４は、その光毎の輝度データを用いて、照度若しくは色温度を推定する。照度若しくは色温度を推定するには、これら複数の値を平均化しても良いし、前述したように飛び値（例えば平均値の２倍以上の箇所など）を除外して、その後で平均化しても良いし、重点的に輝度を得たい領域（例えば電子機器のディスプレイ近く）の値に対して重み付けを行った上で、各値を合算しても良い。照度／色温度推定部２４４は、求めた照度若しくは色温度の推定値を制御部２０１に供給する。なお、照度／色温度推定部２４４が、平均も合算も行わずに個々の出力をそのまま制御部２０１へ信号として出力しても良い。
【０１２８】
図１１のフローチャートを参照して、照度／色温度計測部２３１により実行される照度／色温度計測処理の流れの例を説明する。
【０１２９】
処理が開始されると、センサ部１８１は、ステップＳ２０１において、各センサ開口において受光し、各光伝搬路１０５を介して供給された光を、光電変換領域の、それぞれの部分領域において光電変換する。
【０１３０】
ステップＳ２０２において、センサ部１８１は、ステップＳ２０１の処理により得られたアナログ信号をA/D変換し、得られた各部分領域に対応するデジタルデータを互いに結合（連結）し、光電変換領域全体のデータとして出力する。
【０１３１】
ステップＳ２０３において、クランプ部２４２は、ステップＳ２０２の処理により得られたデジタル値から黒レベルを減算する。
【０１３２】
ステップＳ２０４において、領域別演算部２４３は、ステップＳ２０３の処理により得られたデジタル値を、部分領域毎に分割する。また、領域別演算部２４３は、得られた各部分領域のデータに対して、必要に応じて所定の信号処理を行い、例えば、部分領域毎の代表値を算出する。
【０１３３】
ステップＳ２０５において、照度／色温度推定部２４４は、ステップＳ２０４において得られた部分領域毎のデータを用いて、照度／若しくは色温度の推定を行う。この処理により得られた情報は、制御部２０１に供給される。
【０１３４】
このように、照度／色温度計測部２３１は、複数のセンサ開口からの光について、照度若しくは色温度を容易に計測することができる。
【０１３５】
制御部２０１は、照度／色温度計測部２３１を制御し、以上のように照度若しくは色温度を計測させるだけでなく、得られた照度若しくは色温度に基づいて、電子機器１９０の各部の制御を行う。
【０１３６】
例えば、制御部２０１は、得られた照度若しくは色温度に基づいて、ディスプレイ１９３の輝度を調整する。このような輝度調整処理の流れの例を、図１２のフローチャートを参照して説明する。
【０１３７】
ステップＳ２２１において、制御部２０１は、照度／色温度計測部２３１から照度（若しくは色温度）を取得する。
【０１３８】
ステップＳ２２２において、制御部２０１は、ディスプレイ１９３に近い側の値ほど重みが増すように重み付けを行う（例えば図８Ｂのセンサ開口２，５の出力に対して２倍の重み付けを行う）。
【０１３９】
ステップＳ２２３において、制御部２０１は、これらの値を合算し、ディスプレイ１９３の最適輝度値を推定する。推定方法は、例えば、得られた値に応じて、最適な輝度値を事前にメモリに保存しておくなどである。
【０１４０】
ステップＳ２２４において、制御部２０１は、表示部２１２を制御し、ステップＳ２２３の処理により得られた輝度値を、表示部２１２のディスプレイ１９３の輝度に反映させる。
【０１４１】
このように、制御部２０１は、複数のセンサ開口において得られた光に基づいて、ディスプレイ１９３の輝度を、容易、かつ、より適切に制御することができる。
【０１４２】
ディスプレイ輝度をコントロールする他の実施例としては、例えば電子機器１９０の位置毎の照度情報に基づき、ディスプレイ自体も位置毎に明るさを変えることも考えられる。例えば、得られた照度の値が大きいセンサに近い箇所ほど、ディスプレイ輝度を上げるなどである。有機ＥＬディスプレイであれば、電流で個々の画素をコントロールする。また、液晶の場合は、複数あるバックライトを位置毎に明るさを変えるなどすれば、これを実現できる。
【０１４３】
さらに、ディスプレイ輝度コントロール以外に、ユーザインタフェースとしても使用することができる。例えば、図８Ｂの電子機器１９０において、センサ開口１９２−１，２，３が順に明から暗に照度が変わった場合、センサ開口１９２が指でなぞられたと判定し、電子機器１９０で特定の操作を実行する（例えば電話機であれば電話を切るなどを行う）。
【０１４４】
このような入力受付処理の流れの例を、図１３のフローチャートを参照して説明する。
【０１４５】
処理が開始されると、ステップＳ２４１において、制御部２０１は、照度／色温度計測部２３１から照度（若しくは色温度）を取得する。
【０１４６】
ステップＳ２４２において、制御部２０１は、このデータを時系列に取得し、複数ある各センサの時間的変化を得る。
【０１４７】
ステップＳ２４３において、制御部２０１は、この時間的変化のパターンを、メモリ内に事前に登録されたパターンと比較する。
【０１４８】
ステップＳ２４４において、制御部２０１は、ステップＳ２４３の比較において両者が一致したか否かを判定する。一致したと判定された場合、処理は、ステップＳ２４５に進む。
【０１４９】
ステップＳ２４５において、制御部２０１は、その時間的変化のパターンに応じた特定の操作（処理）を実行する。ステップＳ２４５の処理が終了すると、この入力受付処理が終了する。
【０１５０】
また、ステップＳ２４４において、両者が一致しないと判定された場合、ステップＳ２４５の処理は省略され、この入力受付処理が終了する。
【０１５１】
以上のように、制御部２０１は、複数のセンサ開口において得られた光に基づいて、ユーザ操作を、容易に受け付けることができる。
【０１５２】
また、指でなぞる以外に、電子機器をカバンやポケットに入れる動作を判定し、例えば電源を切るなどの操作を実行させても良い。カバンやポケットに入れる際は、照度が急激に低下する。さらに、図８Ｂのセンサ開口１９２でいえば、座標的に連続的に暗くなる。
【０１５３】
この様子の例を図１４に示す。例えば電子機器１９０下面からポケットに入れる場合、センサ開口１９２−３、６→センサ開口１９２−２，５→センサ開口１９２−１、４の順に急激に暗くなる。こういった特定の推定パターンを事前に登録しておき、操作を実行（電源を切るなど）するようにしてもよい。
【０１５４】
従来の図１に示すような単点のセンサでは、このような制御を実現することができない。例えば、カバンの中に電子機器を入れた時と、部屋の電気を消して真っ暗にした時とで、得られる信号パターンが同じである。つまり、カバンに入れられたかどうかの判別には使用することができない。
【０１５５】
また、照度に限らず、色温度を用いても良い。図１５にその例を示す。照明器具の色温度が部屋によって異なる場合、事前に自宅の各部屋の色温度を電子機器１９０に登録しておく。色温度の登録は、電子機器１９０の持っている色画素（例えばR,G,B画素）の出力を各部屋で得る。
【０１５６】
例えば、図１５の部屋Ａでは色温度が3200Kであり、赤側の波長の光が強くなる。そこれに対して、部屋Ｂでは色温度が6500Kであり、青側の波長の光が強くなる。つまり、例えば各部屋のR/G、B/Gの感度比を事前にメモリ内に登録しておくことで、センサから得られた出力の感度比と比較することで、ユーザがいる部屋（電子機器１９０が位置する部屋）を特定することができる（電子機器１９０−１乃至電子機器１９０−３の各場合の位置を識別することができる）。
【０１５７】
また、部屋Ａと部屋Ｂの光が両方入る場所にいる場合、本技術の多点センサを用いれば、電子機器１９０がどちらの部屋に向いているかを判別することができる。図１５の中央の例の場合、電子機器１９０の先端部分のセンサ出力は6500Kの時の感度比と類似し、電子機器１９０の下部部分のセンサ出力は3200Kの時の感度比と類似する。つまり、電子機器１９０は部屋Ｂの方向を向いていることが分かる。
【０１５８】
電子機器１９０のある場所や、向きが分かることで、例えばその部屋に適したアプリケーションを自動的に画面に表示させることができる。
【０１５９】
このような制御処理の流れの例を図１６のフローチャートを参照して説明する。
【０１６０】
処理が開始されると、ステップＳ２６１において、制御部２０１は、照度／色温度計測部２３１から、部分領域毎の色温度（若しくは照度）を取得する。
【０１６１】
ステップＳ２６２において、制御部２０１は、領域毎の色温度のパターンを、メモリ内に事前に登録されたパターンと比較する。
【０１６２】
ステップＳ２６３において、制御部２０１は、ステップＳ２４３の比較において両者が一致したか否かを判定する。一致していないと判定された場合、この制御処理が終了する。
【０１６３】
また、ステップＳ２６３において、両者が一致したと判定された場合、処理は、ステップＳ２６４に進む。ステップＳ２６４において、制御部２０１は、その一致した色温度のパターンに基づいて、現在の電子機器１９０の位置が台所であるか否かを判定する。
【０１６４】
台所であると判定された場合、処理はステップＳ２６５に進む。ステップＳ２６５において、制御部２０１は、表示部２１２を制御し、ディスプレイ１９３に、例えば料理レシピアプリケーションにより生成される画像を表示させる（つまり、制御部２０１は、現在位置（台所）に応じた情報をディスプレイ１９３に表示させる）。
【０１６５】
ステップＳ２６５の処理が終了すると、この制御処理が終了する。また、ステップＳ２６４において、電子機器１９０の現在位置が台所でないと判定された場合、処理は、ステップＳ２６６に進む。
【０１６６】
ステップＳ２６６において、制御部２０１は、ステップＳ２６３の処理において一致した色温度のパターンに基づいて、現在の電子機器１９０の位置がリビングであるか否かを判定する。
【０１６７】
リビングであると判定された場合、処理はステップＳ２６７に進む。ステップＳ２６７において、制御部２０１は、表示部２１２を制御し、ディスプレイ１９３に、例えばテレビ操作アプリケーションにより生成される画像を表示させる（つまり、制御部２０１は、現在位置（リビング）に応じた情報をディスプレイ１９３に表示させる）。
【０１６８】
ステップＳ２６７の処理が終了すると、この制御処理が終了する。また、ステップＳ２６６において、電子機器１９０の現在位置がリビングでないと判定された場合、処理は、ステップＳ２６８に進む。
【０１６９】
ステップＳ２６８において、制御部２０１は、ステップＳ２６３の処理において一致した色温度のパターンに基づいて、現在の電子機器１９０の位置が子供部屋であるか否かを判定する。
【０１７０】
子供部屋であると判定された場合、処理はステップＳ２６９に進む。ステップＳ２６９において、制御部２０１は、表示部２１２を制御し、ディスプレイ１９３に、例えば勉強用／ゲーム用アプリケーションにより生成される画像を表示させる（つまり、制御部２０１は、現在位置（子供部屋）に応じた情報をディスプレイ１９３に表示させる）。
【０１７１】
ステップＳ２６９の処理が終了すると、この制御処理が終了する。また、ステップＳ２６８において、電子機器１９０の現在位置が子供部屋でもないと判定された場合、この制御処理が終了する。
【０１７２】
以上のように、制御部２０１は、複数のセンサ開口において得られた光の色温度に基づいて、ディスプレイ１９３の表示を、より容易かつ正確に制御することができる。例えば、従来のＧＰＳなどは室内では電波が入りにくく、また階が異なる部屋までは判別できなかったが、本技術を適用することにより、GPSも用いずに、より容易かつ正確に制御することができる。もちろん、照度に基づいて同様の制御を行うようにすることもできる。
【０１７３】
［発光素子］
以上において説明したモジュール素子１８５の中に発光素子を設けても良い。光伝搬路１０５（例えば光ファイバ）は、外部から光を取り込むこともできれば、外部に光を放出することもできる。これを利用し、モジュール素子１８５内に受光素子だけでなく、図１７に示されるように、発光素子２６１も設けるようにしてもよい。
【０１７４】
この場合、制御部２０１は、通常の受光（センサ部１８１による光電変換）の際、発光素子２６１が切られた状態で用い、特定の状況下になった場合のみ発光素子２６１を発光させるようにしても良い。例えば、電子機器１９０が携帯電話機である場合、電話の着信時に発光素子２６１を発光させる。そうすると、図８Ｂのセンサ開口（受光部）１９２が発光し、ユーザが光で着信状態を知ることが出来る。また、図１７の発光素子２６１を全て発光させず、一部だけを発光させて一部の光伝搬路１０５のみを光らせるようにしても良い。
【０１７５】
例えば、この際に他の光伝搬路１０５は受光用として用いても良い。つまり、１つのモジュール素子１８５で発光と受光を同時に行うことができるようにしてもよい。この際、発光素子２６１の光がセンサ部１８１の受光中の光電変換領域に直接漏れこまないように、例えば発光素子２６１（の発光部分）と光伝搬路１０５を可能な限り近づけ、センサ部１８１方向へ散乱しないようにしても良いし（例えば、図１８Ｃ）、発光素子２６１の光がセンサ部１８１の受光面（光電変換領域の光電変換を行う部分）に入らないように遮光しても良い。こうすることにより、例えば発光素子２６１で発光させた光を、発光用の光伝搬路１０５とセンサ開口１９２を介して対象物に当て、その反射光を受光用のセンサ開口１９２（受光部）と光伝搬路１０５を介してセンサ部１８１において検出（光電変換）することができる。例えば、暗い場所で電子機器を扱う際に、例えば図８Ｂのセンサ開口１９２−１，４を赤外発光させる。そして、センサ開口１９２−２，３，５，６は受光用として用い、センサ部１８１から出力を得る。こうすることで、暗い場所であっても、前述したように光（赤外）の変化を検知することができ、特定動作（電源を切るなど）を実行させることができる。
【０１７６】
［伝送路］
以上のように本技術においては、光が、センサ開口１９２（受光部）からセンサ部１８１まで、光伝搬路１０５を介して伝搬されるが、それ以外の光学系は任意である。例えば、光伝搬路１０５とセンサ部１８１の受光面の関係も多くのパターンが想定される。
【０１７７】
図１８Ａの例の場合、光伝搬路１０５とセンサ部１８１上面（光電変換領域）を接触、もしくは近接させて、光伝搬路１０５から出る光が、センサ部１８１上面の特定の領域に漏れなく照射されるようにしたものである。こうすることで、他の光伝搬路１０５の光が照射される領域への光の漏れを抑制することができる。つまり、各光伝搬路１０５を伝搬された光が混ざり合うことを抑制することができる。したがって、センサ部１８１は、各光伝搬路１０５を伝搬された光を、互いに独立に光電変換することができる。
【０１７８】
また、光伝搬路１０５を含む光学系は全波長透過でなくてもよく、光伝搬路１０５によって光の透過特性が異なるものを用いても良い。こうすることで、例えばセンサ部１８１にカラーフィルタを適用しなくても、光伝搬路で色特性を得ることができる。
【０１７９】
図１８Ｂの例では、光伝搬路１０５毎に高さを変えている。光伝搬路１０５毎に得られた信号値から重み付けをする例を前述したが、重み付けは入射する光を制限することでも実施することができる。光伝搬路１０５がセンサ部１８１の光電変換領域から遠いほど、光は散乱し、センサ部１８１の出力が低くなる。つまり、センサ部１８１の光電変換領域に近い光伝搬路１０５に重み付けがなされることとなる。このように、光伝搬路１０５とセンサ部１８１との距離によって重み付けを与えるようにしてもよい。
【０１８０】
また、図１８Ｃに示されるように、発光素子２６１を併用するようにしてもよい。さらに、図１８Ｄに示されるように、光伝搬路１０５の出力部にレンズ２７１を配置して、集光するようにしてもよい。レンズ２７１を配置することで、光伝搬路１０５から光が散乱するのを抑制することができる。すなわち、光伝搬路１０５を伝搬した光を、効率よくセンサ部１８１の光電変換領域の、その光伝搬路１０５に対応する所定の部分に集光させることができる。
【０１８１】
なお、センサ開口１９２等の受光部（系の中で最初に光を受ける部分）と光伝搬路１０５との間の設計も任意である。
【０１８２】
また、センサ部１８１の光電変換領域の構成において、射出瞳補正を施すようにしても良い。射出瞳補正の例は特開２０１０−２３２５９５号公報などに記載されている。センサ部１８１の光電変換領域においては、オンチップレンズ（OnChipLens）、カラーフィルタ、およびフォトダイオード等が形成される。射出瞳補正は、光電変換領域に入射する光の入射角を想定し、そのオンチップレンズやカラーフィルタの位置（フォトダイオード等の光電変換を行う素子に対する位置）を座標毎に変えるものである。
【０１８３】
一般的な瞳補正の場合、図１９Ｃに示されるように、センサ部１８１の中心から外側に向けて徐々に瞳補正量が変化するように、オンチップレンズやカラーフィルタ等の位置補正が行われる。しかしながら、本技術の場合、図１９Ａに示されるように、同一センサ部１８１の光電変換領域の複数の部分（領域１９５−１乃至領域１９５−６）に、互いに異なる光伝搬路１０５を伝搬した光（互いに独立した光）が照射される。したがって、これに合わせて、図１９Ｂに示されるように、光伝搬路１０５毎に射出瞳補正を最適化するようにしても良い。つまり、図１９Ａに示されるように、領域１９５−１乃至領域１９５−６のそれぞれの中心から外側に向けて瞳補正量が変化するように、オンチップレンズやカラーフィルタ等の位置補正が行われるようにしてもよい。こうすることで、光の損失（Loss）を低減し、高Ｓ／Ｎのセンサ特性を得ることが可能となる。
【０１８４】
＜３．第３の実施の形態＞
［多用途］
以上においては、照度検知および色温度検知について説明したが、これに限らず、例えば、赤外検知等、光量に関するものであればどのような情報の検知にも利用することができる。また、センサは、R,G,Bのベイヤ配列に限らず、クリアビット配列など他の配列であっても良いし、カラーフィルタを設けずに、フォトダイオードで直接受光しても良い。
【０１８５】
光伝搬路１０５も全波長透過だけでなく、特定の波長領域を通すものであっても良い。また、光伝搬路１０５の両端ともにレンズやフィルタ(赤外カットフィルタなど)を含む多くの光学系が任意の設計ができるものであり、これによって、光伝搬路１０５とセンサ部１０１Ｂやセンサ部１８１との距離も任意となる。なお、図１７を参照して説明した発光素子２６１は、LEDでも有機ELでもよく、任意の発光素子を適用することができる。
【０１８６】
また、電子機器１６０や電子機器１９０として説明した情報処理装置も任意の装置としてよい。例えば、携帯電話機であってもよいし、図２０のようなテレビジョン受像機３００であっても良いし、ゲーム機やコンピュータ、照明器具、エアコン（エアコンディショナ）など、光電変換装置１００または光電変換装置１８０を用いた光学的特徴のセンシングを行うことができるものであればどのような装置であってもよい。また、その光学的特徴の検出結果を利用して任意の制御を行うようにしてもよい。
【０１８７】
例えば、図２０Ａに示されるようなテレビジョン受像機３００において、フラットパネル部の表示画面横の、電源スイッチの下等に、センサ部（本技術を適用した光電変換装置１００または光電変換装置１８０の、１以上の光伝搬路１０５に対応する受光部）を設けるようにしてもよい（図２０Ｂ）。テレビジョン受像機３００が、このセンサ部を照度センサとして用い、検出された照度に応じて、表示画面の輝度を制御するようにしてもよい。また、テレビジョン受像機３００が、このセンサ部をユーザセンサとして用い、テレビジョン受像機３００の前のユーザが動くことによる光学的特徴の変化を検出し、その検出結果に基づいてユーザの存在の有無を判定し、例えばユーザが不在の場合、表示画面をオフする等の、その判定結果に応じた制御を行うようにしてもよい。
【０１８８】
テレビジョン受像機３００に光電変換装置１００を適用することにより、例えば、撮像部を設けるとともに、このようなセンサ部を任意の位置に容易に設けることができる。また、テレビジョン受像機３００に光電変換装置１８０を適用することにより、容易に、このようなセンサ部を任意の位置に複数設けることができる。
【０１８９】
また、ゲーム機やコンピュータの場合、光電変換装置１００または光電変換装置１８０は、例えば、ディスプレイ輝度の調整に利用したり、ユーザインタフェースとして利用したりすることができる。照明器具の場合、光電変換装置１００または光電変換装置１８０は、例えば、部屋の明るさに応じた照明の明るさ制御に利用することができる。また、エアコンの場合、光電変換装置１００または光電変換装置１８０は、例えば、人が居るかどうかを判別して機能のOn/Offなどを切り替えるなどの制御に利用することができる。いずれの場合でも、以上に説明した光電変換装置１８０のような本技術の多点センサを適用することにより、センシングの精度を向上させ、さらに多くの機能を持たせることができる。また、例えば、図２１に示されるセンサモジュール４１０のように、センサ部のみを、例えばゲーム機４００の周辺機器として独立させてもよい。
【０１９０】
センサモジュール４１０は球面状の筺体を有し、その筺体表面には、複数の受光部４１２が、互いに異なる方向を向くように設けられている。各受光部４１２において受光した光は、それぞれの光伝搬路４１３を伝搬して、内部（例えば底部）に設けられたセンサ４１１で光電変換され、照度や色温度等が計測される。この計測結果は、ゲーム機４００に供給され、利用される。
【０１９１】
例えば、ユーザが、このセンサモジュール４１０の筺体を握る、若しくは、なぞる等の操作を行うと、各受光部４１２において受光される光の照度や色温度等が変化する。センサ４１１は、このような変化を検出し、その変化に関する情報をゲーム機４００に供給する。ゲーム機４００は、その変化に関する情報を、ユーザ指示として受け付ける。つまり、この場合、センサモジュール４１０は、ユーザインタフェースとして利用される。センサモジュール４１０の場合、各受光部が、球面状の筺体表面に配置されるため、各受光部４１２間の距離は短いが、その向きが互いに異なるようにすることができ、それぞれにおいて互いに独立性の高い情報を得ることができる。
【０１９２】
つまり、例えば図８Ｂに示される電子機器１９０のインタフェースと同様の機能を有するものの、その電子機器１９０の場合よりも小型のインタフェースを実現することができる。本技術は、光伝搬路１０５を利用するため、どのような形状の曲面であっても、容易に受光部を設けることができる。
【０１９３】
なお、携帯電話機などで、筺体のディスプレイが設けられる面を表面とする場合の裏面に写真撮影用の撮像レンズを設け、光電変換可能な素子もその裏面に向け、表面には照度センサ開口部（受光部）を設け、光伝搬路により裏面側のセンサに光を伝搬させることもできる。つまり、異なる向きに受光部を設けることも容易に実現することができる。
【０１９４】
以上のように、本技術を用いることで、照度や色温度、赤外など撮像以外の用途で用いるセンサのレイアウト設計自由度が格段に向上させることができる。例えば図２に示したように、撮像部１０１Ａとセンサ部１０１Ｂを画素領域が分かれた状態で同一基板内に設けることができる。これはレンズよりも光ファイバの方が細線化に向いているためである。同一基板内に設けることで、モジュールが小型化でき、携帯電話機などの電子機器の小型化に寄与することができる。
【０１９５】
また、本技術を用いることで、図７のように複数の場所から伝搬された光の照度を検出することが出来、図８のような電子機器において、電子機器内の複数箇所の照度を得ることができる。つまり、外光などで局所的に１つの受光部に強い光が入っても、他のセンサ出力を参照することで、この局所的な光の影響を除外したり、低減したりすることができる。つまり、照度や色温度値を、局所光に惑わされることなく得ることができ、最適なディスプレイ輝度、色に設定することを可能とする。
【０１９６】
さらに、図８のように場所毎の照度を得られるため、特定の場所に重み付けをした上で照度を算出することができ、ディスプレイ輝度を、これらの場所毎に応じた最適輝度に設定することができる。最適輝度に設定することで、必要以上に明るい設定になるのを防ぎ、ディスプレイの消費電力を下げることができる。また、最適輝度に設定することで、眼の視認性が良い輝度設定にすることも出来る。
【０１９７】
また、本技術は、ユーザインタフェースとしても用いることができ、明るさの時間的変化を得ることで、特定の動作を実行させるようにすることができる。これにより、電子機器の操作性を向上させることが可能となる。
【０１９８】
また、本技術を用いることで、一般的な照度センサでは為し得なかったポケットに入れられたか否か、カバンに入れられたか否か、などの判別を行うことができる。また、どの部屋にいるか、などといったことも判別することができ、電子機器の操作性や利便性を向上させることができる。
【０１９９】
さらに、図１７に示されるように光伝搬路を発光用としても併用することができる。図１７の場合、発光素子２６１が例えば４つであっても、散乱した光が光伝搬路１０５−1乃至光伝搬路１０５−６に入射するため、例えば図８の電子機器の６つの箇所（センサ開口１９２−１乃至センサ開口１９２−６）を光らせることができる。つまり、少ない発光素子で多くの発光部（センサ開口１９２）を設けることができる。
【０２００】
また、一部のセンサ開口を光らせて、その反射を他のセンサ開口で受光することで、暗い場所においても、インタフェースなどに用いることができる。
【０２０１】
本技術は、照度、色温度検知に限らず赤外検知など、多くの用途に応用可能である。
【０２０２】
以上に説明した各装置は、それぞれ、上述した以外の構成を含むようにしてももちろんよい。また、１つの装置としてだけでなく、複数の装置よりなるシステムとして構成されるようにしてもよい。
【０２０３】
上述した一連の処理は、ハードウエアにより実行させることもできるし、ソフトウエアにより実行させることもできる。一連の処理をソフトウエアにより実行させる場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０２０４】
この記録媒体は、例えば、装置本体とは別に、ユーザにプログラムを配信するために配布される、プログラムが記録されているリムーバブルメディア（例えば、図１０のリムーバブルメディア２２１）により構成される。このリムーバブルメディアには、磁気ディスク（フレキシブルディスクを含む）や光ディスク（CD-ROMやDVDを含む）が含まれる。さらに、光磁気ディスク（MD（Mini Disc）を含む）や半導体メモリ等も含まれる。また、上述した記録媒体は、このようなリムーバブルメディアだけでなく、装置本体に予め組み込まれた状態でユーザに配信される、プログラムが記録されている制御部（例えば、図１０の制御部２０１）のROMや、記憶部（例えば、図１０の記憶部２１４）に含まれるハードディスクなどにより構成されるようにしてもよい。
【０２０５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０６】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２０７】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２０８】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０２０９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１０】
例えば、本技術は、１つの機能を、ネットワークを介して複数の装置で分担、共同して処理するクラウドコンピューティングの構成をとることができる。
【０２１１】
また、上述のフローチャートで説明した各ステップは、１つの装置で実行する他、複数の装置で分担して実行することができる。
【０２１２】
さらに、１つのステップに複数の処理が含まれる場合には、その１つのステップに含まれる複数の処理は、１つの装置で実行する他、複数の装置で分担して実行することができる。
【０２１３】
なお、本技術は以下のような構成も取ることができる。
（１）  光を伝搬する複数の光伝搬路と、
前記複数の光伝搬路のそれぞれを伝搬した光を、光電変換領域の互いに異なる部分領域において光電変換する光電変換素子と、
前記光電変換素子において得られる、各光伝搬路を伝搬した光に対応する電気信号を用いて、照度若しくは色温度を推定する推定部と
を備える情報処理装置。
（２）  前記推定部により推定された前記照度若しくは前記色温度に基づいて、処理の実行を制御する制御部をさらに備える
前記（１）に記載の情報処理装置。
（３）  前記推定部により推定された前記照度若しくは前記色温度に基づいて、ユーザ操作を受け付ける操作受付部をさらに備え、
前記制御部は、前記操作受付部により受け付けられた前記ユーザ操作に従って、前記処理の実行を制御する
前記（２）に記載の情報処理装置。
（４）  前記推定部により推定された前記照度若しくは前記色温度に基づいて、位置を検出する検出部をさらに備え、
前記制御部は、前記操作受付部により受け付けられた前記ユーザ操作に従って、前記処理の実行を制御する
前記（２）に記載の情報処理装置。
（５）  情報を表示する表示部をさらに備え、
前記制御部は、前記推定部により推定された前記照度若しくは前記色温度に基づいて、前記表示部の輝度を制御する
前記（２）に記載の情報処理装置。
（６）  前記制御部は、前記推定部により推定された前記照度若しくは前記色温度の時間的変化に基づいて、前記処理の実行を制御する
前記（２）に記載の情報処理装置。
（７）  発光する発光部をさらに備え、
前記光伝搬路は、前記発光部より出力される光を、光電変換する光とは逆方向に伝搬する
前記（１）に記載の情報処理装置。
（８）  情報処理装置の情報処理方法において、
前記情報処理装置は、
光を伝搬する複数の光伝搬路のそれぞれを伝搬した光を、光電変換領域の互いに異なる部分領域において光電変換し、
得られた、各光伝搬路を伝搬した光に対応する電気信号を用いて、照度若しくは色温度を推定する
情報処理方法。
（９）  光を伝搬する光伝搬路と、
光電変換領域の一部の領域において、前記光伝搬路を伝搬した光を光電変換し、前記光電変換領域の他の領域において、前記光伝搬路を伝搬していない光を光電変換する光電変換素子と、
前記光電変換領域の前記一部の領域において得られる、前記光伝搬路を伝搬した光に対応する電気信号を用いて、照度若しくは色温度を推定する推定部と
を備える情報処理装置。
（１０）  前記光電変換領域全体を、光電変換する光の光路を除く周辺に対して遮光するモジュールをさらに備える
前記（９）に記載の情報処理装置。
（１１）  前記一部の領域と前記他の領域とを互いに遮光する遮光板をさらに備える
前記（１０）に記載の情報処理装置。
（１２）  前記光電変換素子は、
前記一部の領域において得られる電気信号を読み出す第１の読み出し部と、
前記他の領域において得られる電気信号を読み出す、前記第１の読み出し部とは独立して動作する第２の読み出し部と
を備える前記（９）に記載の情報処理装置。
（１３）  前記他の領域において得られる、前記光伝搬路を伝搬していない光に対応する電気信号を用いて、画像データを生成する画像データ生成部をさらに備える
前記（９）に記載の情報処理装置。
（１４）  情報処理装置の情報処理方法において、
前記情報処理装置は、
光電変換素子の光電変換領域の一部の領域において、光伝搬路を伝搬した光を光電変換し、
得られた電気信号を用いて照度若しくは色温度を推定し、
前記光電変換領域の他の領域において、光伝搬路を伝搬していない光を光電変換する
情報処理方法。
（１５）  光を伝搬する複数の光伝搬路と、
前記複数の光伝搬路のそれぞれを伝搬した光を、光電変換領域の互いに異なる部分領域において光電変換する光電変換素子と
を備える光電変換装置。
（１６）  前記光伝搬路は、所定の物質よりなり、
前記光は、前記物質内部を伝搬する
前記（１５）に記載の光電変換装置。
（１７）  前記光伝搬路は、石英ガラスよりなる光ファイバである
前記（１６）に記載の光電変換装置。
（１８）  光を伝搬する光伝搬路と、
光電変換領域の一部の領域において、前記光伝搬路を伝搬した光を光電変換し、前記光電変換領域の他の領域において、前記光伝搬路を伝搬していない光を光電変換する光電変換素子と
を備える光電変換装置。
（１９）  前記光伝搬路は、所定の物質よりなり、
前記光は、前記物質内部を伝搬する
前記（１８）に記載の光電変換装置。
（２０）  前記光伝搬路は、石英ガラスよりなる光ファイバである
前記（１９）に記載の光電変換装置。
【符号の説明】
【０２１４】
１００  光電変換装置，  １０１  光電変換部，  １０３  光学系，  １０４  光学系，  １０５  光伝搬路，  １１１  画素アレイ部，  １１２  カラムADC，  １１３  CPU，  １３１  画素アレイ部，  １３２  カラムADC，  １３３  CPU，  １５１  モジュール素子，  １５２  遮光板，  １６０  電子機器，  １６５  照度／色温度推定部，  １７８  輝度クロマ信号生成部，  １８０  光電変換装置，  １８１  センサ部，  １８５  モジュール素子，  １９０  電子機器，  １９１  筺体，  １９２  センサ開口，  ２０１  制御部，  ２３１  照度／色温度計測部，  ２４２  クランプ部，  ２４３  領域別演算部，  ２４４  照度／色温度推定部，  ２６１  発光素子，  ３００  テレビジョン受像機，  ４００  ゲーム機，  ４１０  センサモジュール，  ４１１  センサ，  ４１２  受光部，  ４１３  光伝搬路
【図１】
2014006759.tif 000003
【図２】
2014006759.tif 000004
【図３】
2014006759.tif 000005
【図４】
2014006759.tif 000006
【図５】
2014006759.tif 000007
【図６】
2014006759.tif 000008
【図７】
2014006759.tif 000009
【図８】
2014006759.tif 000010
【図９】
2014006759.tif 000011
【図１０】
2014006759.tif 000012
【図１１】
2014006759.tif 000013
【図１２】
2014006759.tif 000014
【図１３】
2014006759.tif 000015
【図１４】
2014006759.tif 000016
【図１５】
2014006759.tif 000017
【図１６】
2014006759.tif 000018
【図１７】
2014006759.tif 000019
【図１８】
2014006759.tif 000020
【図１９】
2014006759.tif 000021
【図２０】
2014006759.tif 000022
【図２１】
2014006759.tif 000023